(57)【特許請求の範囲】
【請求項１】
表示画面、ネットワーク上の情報を閲覧するためのブラウザおよび操作ボタンを有する携帯電話の前記表示画面より解像度が大きな画面表示を行う表示手段と、
前記携帯電話と通信可能に接続する接続手段と、
前記接続手段を介して接続された前記携帯電話と連携して前記ネットワーク上の情報を取得し、該取得した情報を閲覧するための画面を前記表示手段に表示する情報閲覧手段と、
前記接続手段を介して接続された前記携帯電話の前記操作ボタンの操作を、前記情報閲覧手段による情報の閲覧に関する操作として入力する操作入力手段と、
前記ネットワークにアクセスが必要なときのみに、前記携帯電話を介してネットワーク接続を行うように制御するネットワーク接続制御手段と
を備えることを特徴とする携帯型情報端末。
【請求項２】
拡大光学系を介して、表示画面、ネットワーク上の情報を閲覧するためのブラウザおよび操作ボタンを有する携帯電話の前記表示画面より解像度が大きな画面表示を行う表示手段と、
前記携帯電話と通信可能に接続する接続手段と、
前記接続手段を介して接続された前記携帯電話と連携して前記ネットワーク上の情報を取得し、該取得した情報を閲覧するための画面を前記表示手段に表示する情報閲覧手段と、
前記接続手段を介して接続された前記携帯電話の前記操作ボタンの操作を、前記情報閲覧手段による情報の閲覧に関する操作として入力する操作入力手段と、
前記ネットワークにアクセスが必要なときのみに、前記携帯電話を介してネットワーク接続を行うように制御するネットワーク接続制御手段と
を備えることを特徴とする携帯型情報端末。
【請求項３】
表示画面、ネットワーク上の情報を閲覧するためのブラウザおよび操作ボタンを有する携帯電話の前記表示画面より解像度が大きな画面表示を行う表示手段と、
前記携帯電話と通信可能に接続する接続手段と、
前記接続手段を介して接続された前記携帯電話と連携して前記ネットワーク上の情報を取得し、該取得した情報を閲覧するための画面を前記表示手段に表示する情報閲覧手段と、
前記接続手段を介して接続された前記携帯電話の前記操作ボタンの操作を、前記情報閲覧手段による情報の閲覧に関する操作として入力する操作入力手段と、
前記携帯電話と独立して前記ネットワークに接続するための通信手段と、
前記通信手段を介して前記ネットワーク上の情報を取得し、該取得した情報を閲覧するための画面を前記表示手段に表示するブラウザ手段と、
前記接続手段を介して接続された前記携帯電話から該携帯電話で現在閲覧している情報の接続先情報を取り込み、該取り込んだ接続先情報を前記ブラウザ手段に設定する接続先情報設定手段と
を備えることを特徴とする携帯型情報端末。
【請求項４】
拡大光学系を介して、表示画面、ネットワーク上の情報を閲覧するためのブラウザおよび操作ボタンを有する携帯電話の前記表示画面より解像度が大きな画面表示を行う表示手段と、
ネットワーク上の情報を閲覧するためのブラウザおよび操作ボタンを有する携帯電話と通信可能に接続する接続手段と、
前記接続手段を介して接続された前記携帯電話と連携して前記ネットワーク上の情報を取得し、該取得した情報を閲覧するための画面を前記表示手段に表示する情報閲覧手段と、
前記接続手段を介して接続された前記携帯電話の前記操作ボタンの操作を、前記情報閲覧手段による情報の閲覧に関する操作として入力する操作入力手段と、
前記携帯電話と独立して前記ネットワークに接続するための通信手段と、
前記通信手段を介して前記ネットワーク上の情報を取得し、該取得した情報を閲覧するための画面を前記表示手段に表示するブラウザ手段と、
前記接続手段を介して接続された前記携帯電話から該携帯電話で現在閲覧している情報の接続先情報を取り込み、該取り込んだ接続先情報を前記ブラウザ手段に設定する接続先情報設定手段と
を備えることを特徴とする携帯型情報端末。
【請求項５】
前記拡大光学系は接眼型拡大光学系であることを特徴とする請求項２または４に記載の携帯型情報端末。
【請求項６】
前記表示手段の拡大光学系は半透過型光学系からなり、該半透過型光学系は、前記情報閲覧手段により表示される画面と外界からの光線を重畳して観察位置へ結像することを特徴とする請求項２または４に記載の携帯型情報端末。
【請求項７】
前記表示手段、前記情報閲覧手段、前記接続手段および前記操作入力手段を一体化して、頭部に装着可能にしたことを特徴とする請求項１乃至４のいずれか１つに記載の携帯型情報端末。
【請求項８】
表示画面、ネットワーク上の情報を閲覧するためのブラウザおよび操作ボタンを有する携帯電話と、前記携帯電話と通信可能に接続する接続手段および拡大光学系を介して前記携帯電話の前記表示画面より解像度が大きな画面表示を行う表示手段を備える携帯型情報端末とを連携させて、前記ネットワーク上の情報を前記携帯情報端末の前記表示手段で閲覧するための情報閲覧方法であって、
前記接続手段を介して前記携帯型情報端末を前記携帯電話と接続し、
前記携帯型情報端末により、前記接続手段を介して接続された前記携帯電話と連携して前記ネットワーク上の情報を取得し、該取得した情報を閲覧するための画面を前記表示手段に表示し、
前記携帯型情報端末により、前記携帯電話における前記操作キーの操作を、前記情報の閲覧に関する操作として入力し、
前記携帯型情報端末により、前記ネットワークにアクセスが必要なときのみに、前記携帯電話を介してネットワーク接続を行うように制御する
ことを特徴とする情報閲覧方法。
【請求項９】
表示画面、ネットワーク上の情報を閲覧するためのブラウザ手段および操作ボタンを有する携帯電話と、前記携帯電話と通信可能に接続する接続手段、拡大光学系を介して前記携帯電話の前記表示画面より解像度が大きな画面表示を行う表示手段および前記携帯電話と独立して前記ネットワークに接続するための通信手段を備える携帯型情報端末とを連携させて、前記ネットワーク上の情報を前記携帯情報端末の前記表示手段で閲覧するための情報閲覧方法であって、
前記接続手段を介して前記携帯型情報端末を前記携帯電話と接続し、
前記携帯型情報端末により、前記接続手段を介して接続された前記携帯電話と連携して前記ネットワーク上の情報を取得し、該取得した情報を閲覧するための画面を前記表示手段に表示し、
前記携帯型情報端末により、前記携帯電話における前記操作キーの操作を、前記情報の閲覧に関する操作として入力し、
前記携帯電話と独立して、前記携帯型情報端末を、前記通信手段を介して前記ネットワークに接続し、
前記携帯型情報端末により、前記通信手段を介して前記ネットワーク上の情報を取得し、該取得した情報を閲覧するための画面を前記表示手段に表示し、
前記携帯型情報端末により、前記接続手段を介して接続された前記携帯電話から該携帯電話で現在閲覧している情報の接続先情報を取り込み、該取り込んだ接続先情報を前記ブラウザ手段に設定する
ことを特徴とする情報閲覧方法。
【請求項１０】
表示画面、ネットワーク上の情報を閲覧するためのブラウザおよび操作キーを有する携帯電話と通信可能に接続する接続手段、および拡大光学系を介して前記携帯電話の前記表示画面より解像度が大きな画面表示を行う表示手段を備える携帯型情報端末上で実行される、前記ネットワーク上の情報を前記表示手段で閲覧するためのプログラムであって、
前記接続手段を介して接続された前記携帯電話と連携して前記ネットワーク上の情報を取得し、該取得した情報を前記表示手段に閲覧可能に表示するための情報閲覧モジュールと、
前記接続手段を介して接続された前記携帯電話における前記操作キーの操作を、前記情報閲覧モジュールによる情報の閲覧に関する操作として入力する操作入力モジュールと、
前記ネットワークにアクセスが必要なときのみに、前記携帯電話を介してネットワーク接続を行うように制御するネットワーク接続制御モジュールと
を有することを特徴とするプログラム。
【請求項１１】
表示画面、ネットワーク上の情報を閲覧するためのブラウザおよび操作キーを有する携帯電話と通信可能に接続する接続手段、拡大光学系を介して前記携帯電話の前記表示画面より解像度が大きな画面表示を行う表示手段、および前記携帯電話と独立して前記ネットワークに接続するための通信手段を備える携帯型情報端末上で実行される、前記ネットワーク上の情報を前記表示手段で閲覧するためのプログラムであって、
前記接続手段を介して接続された前記携帯電話と連携して前記ネットワーク上の情報を取得し、該取得した情報を前記表示手段に閲覧可能に表示するための情報閲覧モジュールと、
前記接続手段を介して接続された前記携帯電話における前記操作キーの操作を、前記情報閲覧モジュールによる情報の閲覧に関する操作として入力する操作入力モジュールと、
前記通信手段を介して前記ネットワーク上の情報を取得し、該取得した情報を閲覧するための画面を前記表示手段に表示するブラウザモジュールと、
前記接続手段を介して接続された前記携帯電話から該携帯電話で現在閲覧している情報の接続先情報を取り込み、該取り込んだ接続先情報を前記ブラウザ手段に設定する接続先情報設定モジュールと
を有することを特徴とするプログラム。
【発明の詳細な説明】
【０００１】
【発明の属する技術分野】
本発明は、携帯電話と連携して情報を大画面で閲覧することが可能な携帯型情報端末、情報閲覧方法およびプログラムに関する。
【０００２】
【従来の技術】
小型液晶パネルとプリズムなどの拡大光学系を用いた接眼型表示装置の代表的なものとして、例えば、ＨＭＤ（Head Mounted Display）がある。このＨＭＤでは、大画面表示を比較的小型の装置で実現することができるという利点があり、さらなる小型化のための開発が進められている。
【０００３】
また、携帯電話やＰＤＡ（Personal Digital Assistants）などの携帯情報端末においては、高機能化が進められる一方で、通信インフラの充実やコンテンツの充実が図られ、これらの端末を用いてインターネットなどのネットワーク上のコンテンツ閲覧を容易に行うことが可能な環境が整いつつある。
【０００４】
【発明が解決しようとする課題】
しかしながら、ＨＭＤを装着しながら情報機器を操作することは視野の制限などがあるため困難で、特に屋外でのインタラクションにおいては操作が限られるという弊害がある。
【０００５】
また、携帯電話やＰＤＡなどの情報端末は、携帯性や操作性などの利便性に優れ、屋外での使用には適しているが、端末自体の大きさが制限されるために、表示装置を大きくすることができず、デスクトップのパーソナルコンピュータ（ＰＣ）のような大きさの画面を表示することは困難で、かつ文字入力など端末のインタラクションも制約される。
【０００６】
本発明の目的は、携帯性および操作性を損うことなく、大画面を用いてネットワーク上の情報の閲覧を行うことができる携帯型情報端末、情報閲覧方法およびプログラムを提供することにある。
【０００８】
【課題を解決するための手段】
本発明は、表示画面、ットワーク上の情報を閲覧するためのブラウザおよび操作ボタンを有する携帯電話の表示画面より解像度が大きな画面表示を行う表示手段と、前記携帯電話と通信可能に接続する接続手段と、前記接続手段を介して接続された前記携帯電話と連携して前記ネットワーク上の情報を取得し、該取得した情報を閲覧するための画面を前記表示手段に表示する情報閲覧手段と、前記接続手段を介して接続された前記携帯電話の前記操作ボタンの操作を、前記情報閲覧手段による情報の閲覧に関する操作として入力する操作入力手段と、前記ネットワークにアクセスが必要なときのみに、前記携帯電話を介してネットワーク接続を行うように制御するネットワーク接続制御手段とを備えることを特徴とする。
【０００９】
本発明は、拡大光学系を介して、表示画面、ネットワーク上の情報を閲覧するためのブラウザおよび操作ボタンを有する携帯電話の前記表示画面より解像度が大きな画面表示を行う表示手段と、前記携帯電話と通信可能に接続する接続手段と、前記接続手段を介して接続された前記携帯電話と連携して前記ネットワーク上の情報を取得し、該取得した情報を閲覧するための画面を前記表示手段に表示する情報閲覧手段と、前記接続手段を介して接続された前記携帯電話の前記操作ボタンの操作を、前記情報閲覧手段による情報の閲覧に関する操作として入力する操作入力手段と、前記ネットワークにアクセスが必要なときのみに、前記携帯電話を介してネットワーク接続を行うように制御するネットワーク接続制御手段とを備えることを特徴とする。
【００１０】
本発明は、表示画面、ネットワーク上の情報を閲覧するためのブラウザおよび操作ボタンを有する携帯電話の前記表示画面より解像度が大きな画面表示を行う表示手段と、前記携帯電話と通信可能に接続する接続手段と、前記接続手段を介して接続された前記携帯電話と連携して前記ネットワーク上の情報を取得し、該取得した情報を閲覧するための画面を前記表示手段に表示する情報閲覧手段と、前記接続手段を介して接続された前記携帯電話の前記操作ボタンの操作を、前記情報閲覧手段による情報の閲覧に関する操作として入力する操作入力手段と、前記携帯電話と独立して前記ネットワークに接続するための通信手段と、前記通信手段を介して前記ネットワーク上の情報を取得し、該取得した情報を閲覧するための画面を前記表示手段に表示するブラウザ手段と、前記接続手段を介して接続された前記携帯電話から該携帯電話で現在閲覧している情報の接続先情報を取り込み、該取り込んだ接続先情報を前記ブラウザ手段に設定する接続先情報設定手段とを備えることを特徴とする。
【００１１】
本発明は、拡大光学系を介して、表示画面、ネットワーク上の情報を閲覧するためのブラウザおよび操作ボタンを有する携帯電話の前記表示画面より解像度が大きな画面表示を行う表示手段と、ネットワーク上の情報を閲覧するためのブラウザおよび操作ボタンを有する携帯電話と通信可能に接続する接続手段と、前記接続手段を介して接続された前記携帯電話と連携して前記ネットワーク上の情報を取得し、該取得した情報を閲覧するための画面を前記表示手段に表示する情報閲覧手段と、前記接続手段を介して接続された前記携帯電話の前記操作ボタンの操作を、前記情報閲覧手段による情報の閲覧に関する操作として入力する操作入力手段と、前記携帯電話と独立して前記ネットワークに接続するための通信手段と、前記通信手段を介して前記ネットワーク上の情報を取得し、該取得した情報を閲覧するための画面を前記表示手段に表示するブラウザ手段と、前記接続手段を介して接続された前記携帯電話から該携帯電話で現在閲覧している情報の接続先情報を取り込み、該取り込んだ接続先情報を前記ブラウザ手段に設定する接続先情報設定手段とを備えることを特徴とする。
【００１２】
本発明は、表示画面、ネットワーク上の情報を閲覧するためのブラウザおよび操作ボタンを有する携帯電話と、前記携帯電話と通信可能に接続する接続手段および拡大光学系を介して前記携帯電話の前記表示画面より解像度が大きな画面表示を行う表示手段を備える携帯型情報端末とを連携させて、前記ネットワーク上の情報を前記携帯情報端末の前記表示手段で閲覧するための情報閲覧方法であって、前記接続手段を介して前記携帯型情報端末を前記携帯電話と接続し、前記携帯型情報端末により、前記接続手段を介して接続された前記携帯電話と連携して前記ネットワーク上の情報を取得し、該取得した情報を閲覧するための画面を前記表示手段に表示し、前記携帯型情報端末により、前記携帯電話における前記操作キーの操作を、前記情報の閲覧に関する操作として入力し、前記携帯型情報端末により、前記ネットワークにアクセスが必要なときのみに、前記携帯電話を介してネットワーク接続を行うように制御することを特徴とする。
【００１３】
本発明は、表示画面、ネットワーク上の情報を閲覧するためのブラウザ手段および操作ボタンを有する携帯電話と、前記携帯電話と通信可能に接続する接続手段、拡大光学系を介して前記携帯電話の前記表示画面より解像度が大きな画面表示を行う表示手段および前記携帯電話と独立して前記ネットワークに接続するための通信手段を備える携帯型情報端末とを連携させて、前記ネットワーク上の情報を前記携帯情報端末の前記表示手段で閲覧するための情報閲覧方法であって、前記接続手段を介して前記携帯型情報端末を前記携帯電話と接続し、前記携帯型情報端末により、前記接続手段を介して接続された前記携帯電話と連携して前記ネットワーク上の情報を取得し、該取得した情報を閲覧するための画面を前記表示手段に表示し、前記携帯型情報端末により、前記携帯電話における前記操作キーの操作を、前記情報の閲覧に関する操作として入力し、前記携帯電話と独立して、前記携帯型情報端末を、前記通信手段を介して前記ネットワークに接続し、前記携帯型情報端末により、前記通信手段を介して前記ネットワーク上の情報を取得し、該取得した情報を閲覧するための画面を前記表示手段に表示し、前記携帯型情報端末により、前記接続手段を介して接続された前記携帯電話から該携帯電話で現在閲覧している情報の接続先情報を取り込み、該取り込んだ接続先情報を前記ブラウザ手段に設定することを特徴とする。
【００１４】
本発明は、表示画面、ネットワーク上の情報を閲覧するためのブラウザおよび操作キーを有する携帯電話と通信可能に接続する接続手段、および拡大光学系を介して前記携帯電話の前記表示画面より解像度が大きな画面表示を行う表示手段を備える携帯型情報端末上で実行される、前記ネットワーク上の情報を前記表示手段で閲覧するためのプログラムであって、前記接続手段を介して接続された前記携帯電話と連携して前記ネットワーク上の情報を取得し、該取得した情報を前記表示手段に閲覧可能に表示するための情報閲覧モジュールと、前記接続手段を介して接続された前記携帯電話における前記操作キーの操作を、前記情報閲覧モジュールによる情報の閲覧に関する操作として入力する操作入力モジュールと、前記ネットワークにアクセスが必要なときのみに、前記携帯電話を介してネットワーク接続を行うように制御するネットワーク接続制御モジュールとを有することを特徴とする。
【００１５】
本発明は、表示画面とネットワーク上の情報を閲覧するためのブラウザおよび操作キーを有する携帯電話と通信可能に接続する接続手段、拡大光学系を介して前記携帯電話の前記表示画面より解像度が大きな画面表示を行う表示手段、および前記携帯電話と独立して前記ネットワークに接続するための通信手段を備える携帯型情報端末上で実行される、前記ネットワーク上の情報を前記表示手段で閲覧するためのプログラムであって、前記接続手段を介して接続された前記携帯電話と連携して前記ネットワーク上の情報を取得し、該取得した情報を前記表示手段に閲覧可能に表示するための情報閲覧モジュールと、前記接続手段を介して接続された前記携帯電話における前記操作キーの操作を、前記情報閲覧モジュールによる情報の閲覧に関する操作として入力する操作入力モジュールと、前記通信手段を介して前記ネットワーク上の情報を取得し、該取得した情報を閲覧するための画面を前記表示手段に表示するブラウザモジュールと、前記接続手段を介して接続された前記携帯電話から該携帯電話で現在閲覧している情報の接続先情報を取り込み、該取り込んだ接続先情報を前記ブラウザ手段に設定する接続先情報設定モジュールとを有することを特徴とする。
【００２３】
【発明の実施の形態】
以下、本発明の実施の形態について図面を参照しながら説明する。
【００２４】
（第１の実施形態）
図１は本発明の第１の実施形態に係る携帯型情報端末がユーザに装着されている状態を示す図である。本実施形態では、携帯型情報端末として、ユーザの頭部に装着して使用されるＭＨＤを例にして説明する。
【００２５】
携帯型情報端末（以下、情報端末という）１は、図１に示すように、眼鏡と同じように、ユーザの顔に装着されて使用されるＭＨＤとして構成される。ユーザは、情報端末１から携帯電話２を介してネットワークにアクセスし、該ネットワーク上のコンテンツを情報端末１の表示手段で閲覧することができる。情報端末１と携帯電話２は、近距離無線通信により双方向のデータ通信が可能である。ユーザは閲覧に必要な操作を携帯電話２のボタンで行い、この携帯電話２のボタンの操作情報は情報端末１へ入力されて各種動作が起動される。
【００２６】
次に、情報端末１の構成について図２および図３を参照しながら説明する。図２は図１の情報端末１の構成を示すブロック図、図３は図２の表示手段１１におけるバックライト１１３、ＬＣＤ１１２および自由曲面プリズム１１１の配置を模式的に示す図である。
【００２７】
情報端末１は、図２に示すように、ＲＯＭ（リードオンリメモリ）１５に格納されているプログラムに従い装置全体を制御するためのＣＰＵ１２と、ＣＰＵ１２の作業領域を提供するＲＡＭ（ランダムアクセスメモリ）１４と、表示手段１１の表示を制御する表示制御回路１３と、表示手段１１に表示する画面データを蓄えるＶＲＡＭ（ビデオＲＡＭ）１１４とを備える。ＣＰＵ１２、ＲＡＭ１４、ＲＯＭ１５および表示制御回路１３は、ＣＰＵバス２１を介して接続されている。
【００２８】
表示手段１１は、情報を表示するための複数の画素を有する１対の液晶表示装置（以下、ＬＣＤという）１１２と、ＬＣＤ１１２の表示画面を照明する１対のバックライト１１３と、ＬＣＤ１１２の表示画面を拡大する１対の自由曲面プリズム１１１とを有し、各ＬＣＤ１１２、バックライト１１３および自由曲面プリズム１１１は、それぞれユーザの左右の目に対応するように設けられている。ＬＣＤ１１２は、例えば大きさが１インチ以下で２４ｂｉｔ、フルカラー、画素数８００Ｘ６００のいわゆるＳＶＧＡの解像度を有するものである。このようなＬＣＤは一般にマイクロディスプレイと呼ばれ、ＣＭＤ社やＫＯＰＩＮ社など各社のものが使用することが可能である。この表示手段１１においては、図３に示すように、バックライト１３がユーザの観察位置からみてＬＣＤ１１２の裏側に配置されている。また、自由曲面プリズム１１１は、楔形形状のプリズム１１１ａとプリズム１１１ｂの２つの光学部材を接合したものである。各光学部材１１１ａ，１１１ｂの接合面は半透過の曲面であり、各光学部材１１１ａ，１１１ｂは、ＬＣＤ１１２から入射された光を図中の二点鎖線ａ，ｂ，ｃで示すような光路を経て観察位置へ導く。また、外界からの光は二点鎖線ｄ，ｃの光路を経て上記観察位置へ導かれる。この自由曲面プリズム１１１により、ユーザは上記観察位置において、ＬＣＤ１１２の拡大像と外界の景色（例えば手元の携帯電話２のボタンなど）を重ね合わせて見ることができる。これらの光学系の技術に関しては、既に特開平９−２７４１４４号や特開２０００−１０５０２号公報などに開示されている。これらの技術を利用することにより、上述したようにユーザは情報端末１を装着した状態で、携帯電話２のボタンを操作し、情報を大画面で閲覧することが可能となる。
【００２９】
また、ＣＰＵ１２には、図２に示すように、Ｉ／Ｏバス２０を介して近距離無線通信制御回路１７と入力制御回路１８とが接続されている。近距離無線通信制御回路１７は、ＣＰＵ１２からの命令に従い、本情報端末１と外部機器間でデータの送受信を行うための近距離無線通信デバイス１６を制御する。この近距離無線通信デバイス１６は、スペクトラム拡散通信の周波数ホッピング方式を用いたブルートゥース（Bluetooth）と呼ばれる近距離通信用規格に従った無線通信を行う。このブルートゥースは、具体的には、２．４ＧＨｚ帯の周波数を利用して約１０ｍの距離が離れた相手との間で１Ｍｂｐｓ程度のデータ転送速度でデータ通信を行うことが可能である。また、ブルートゥース（Bluetooth）の無線方式に代えて、同じ２．４ＧＨｚ帯を利用する無線ＬＡＮ方式のＩＥＥＥ８０２．１１ｂなどの方式を利用することも可能である。入力制御回路１８は、入力デバイス１９からの入力信号をＣＰＵ１２に入力する。本実施形態では、入力デバイスを電源スイッチ（図示せず）とする。
【００３０】
情報端末１におけるソフトウェアはＲＯＭ１５に格納されており、ＲＯＭ１５に格納されているソフトウェアには、メモリや入出力デバイスなどのハードウェアの管理を行うためのＯＳ、近距離無線通信を通じて他の端末とデータ通信するためのソフトウェア、ＨＴＭＬ（Hyper Text Markup Languge）を用いて記述されたホームページを閲覧するブラウザソフト、ソフトウェアを起動したり，各種の設定を変更したりするための操作ソフトウェアなどが含まれる。
【００３１】
次に、情報端末１の内部構成について図４を参照しながら説明する。図４（ａ）は図１の情報端末１を正面側から見た透視図、同図（ｂ）は図１の情報端末１を底面側から見た透視図である。
【００３２】
表示手段１１を構成する自由曲面プリズム１１１、ＬＣＤ１１２、バックライト１１３は、図４（ａ），（ｂ）に示すように、水平に配置され、ＬＣＤ１１２、バックライト１１３は、自由曲面プリズム１１１より耳側に位置する。すなわち、図３に示す光学系を横方向に用いることにより、表示手段１１の上下方向の厚みが減らされ、電気回路基板（後述するメイン基板１５１、表示制御基板１５２）を表示手段１１の上部へ実装可能にしている。情報端末１の上部には、近距離無線通信デバイス１６、ＣＰＵ１２などが搭載されているメイン基板１５１、および表示制御回路１３などが搭載されている表示制御基板１５２が配置され、さらに左右の自由曲面プリズム１１１間には、バッテリー１５３が配置されている。これにより、情報端末１は全体としてユーザの頭部に装着可能な大きさのものに実現されている。
【００３３】
次に、近距離無線通信デバイス１６を介して情報端末１と通信を行う携帯電話２の構成について図５を参照しながら説明する。図５は図１の携帯電話２の構成を示すブロック図である。
【００３４】
携帯電話２は、図５に示すように、ＲＯＭ２１５に格納されているプログラムに従い装置全体を制御するためのＣＰＵ２１２と、ＣＰＵ２１２の作業領域を提供するＲＡＭ２１４と、２．２インチ程度の液晶パネル（ＬＣＤ２５２とバックライト２５３から構成される）の表示を制御する表示制御回路２１３と、ＰＤＣやＩＭＴ−２０００方式に従って移動体通信網に接続するための通信手段（携帯電話網通信制御回路２１９と携帯電話網通信デバイス２１８から構成される）と、情報端末１と通信可能なブルートゥース（Bluetooth）などの近距離通信用規格に従った無線通信を行う近距離無線通信手段（近距離無線通信制御回路２１７と近距離無線通信デバイス２１６から構成される）とを備える。
【００３５】
この携帯電話２においては、音声がマイク２２２に入力されてアナログ音声信号に変換され、この音声信号はアンプ２２６で増幅された後にマイク制御回路２２３に入力される。マイク制御回路２２３は入力された音声信号を音声データにデジタル化し、この音声データはＣＰＵ２１２へ入力される。また、音声の出力の際は、ＣＰＵ２１２からの音声データがスピーカ制御回路２２５で音声信号にアナログ化され、この音声信号はアンプ２２６で増幅された後にスピーカ２２４から出力される。また、携帯電話２は、複数の操作ボタンを含む入力ボタン群２２０を有し、入力ボタン群２２０からの入力は入力制御回路２２１を介してＣＰＵ２１２へ入力される。
【００３６】
携帯電話２のＲＯＭ２１５に格納されているソフトウェアには、メモリや入出力デバイスなどのハードウェアの管理を行うためのＯＳ、携帯電話網を通じてインターネット接続するための通信ソフトウェア、近距離無線通信網を通じて他の端末（例えば本情報端末１）とデータ通信するためのソフトウェアなどが含まれる。さらに、c-HTMLやXHTML-Basicなどの携帯電話用記述言語を用いて記述されたホームページを閲覧するブラウザソフト、これらのソフトウェアを起動したり，各種の設定を変更したりするための操作ソフトウェアが含まれている。この携帯電話２のＯＳは、同時に複数のソフトウェアモジュールを実行するマルチスレッドやマルチプロセスに対応しており、この結果、例えば、移動体通信網と近距離無線通信網の同時接続などが可能である。これらのソフトウェアは、通常、工場出荷時にＲＯＭ２１５に記録されるが、携帯電話本体を、外部接続端子を介して専用のメンテナンス機器に接続し、メンテナンス機器から上記ソフトウェアの内容を更新することもできる。また、ハードウェアにＳＤカードやメモリースティック（登録商標）などの小型メモリカード用のスロットを設けることによって、ユーザ自らが更新することも可能である。また、Java（登録商標）VMを搭載した携帯電話が既に発売されており、ネットワーク経由で手軽にJava（登録商標）アプレットをダウンロードすることが可能である。このような手段を用いて、携帯電話を制御するソフトウェアを更新することもできる。
【００３７】
次に、情報端末１と携帯電話２とを用いてネットワーク上の情報を閲覧する場合に構築される通信ネットワークについて図６を参照しながら説明する。図６は図１の情報端末１と携帯電話２とを用いてネットワーク上の情報を閲覧する場合に構築される通信ネットワークの構成図である。
【００３８】
本実施の形態においては、図６に示すように、情報端末１が携帯電話２と近距離無線通信で接続され、携帯電話２が携帯電話網およびＩＳＰ（インターネットサービスプロバイダ）ゲートウェイサーバ３２０を介してインターネットへ接続される。情報端末１は、上記経路を経てインターネット上のＷＷＷサーバ３３０にアクセスし、ＷＷＷサーバ３３０が保持する情報を取得して情報端末１のブラウザ３４０で表示手段１１に表示する。情報端末１と携帯電話２間の近距離無線通信では、上述したインターネットとのデータ通信のためのコネクションの他に、携帯電話２で入力した文字情報を情報端末１に送るための別のコネクションが設定される。その接続はブルートゥースの場合、シリアルポート・プロファイルやジェネリック・オブジェクト・エクスチェンジ・プロファイルなどを通じて行われる。また、ダイアルアップネットワーキング・プロファイルを用いて、ダイヤルアップ接続により携帯電話網（移動体通信網）およびＩＳＰゲートウェイサーバ３２０を介してインターネットと接続する。
【００３９】
次に、ネットワーク上の情報を閲覧する際の動作について図７および図８を参照しながら説明する。図７は図１の携帯電話２に表示される画面例およびキー配列を示す図、図８は図１の情報端末１に表示されるＷＷＷブラウザ画面の一例を示す図である。
【００４０】
情報端末１を用いてネットワーク上の情報を閲覧する場合、ユーザはまず情報端末１の入力デバイス１９（電源スイッチ）を押下して電源をオンにし、表示手段１１の画面が見えるように情報端末１を頭部に装着する。次に、ユーザは、図７（ａ）に示す入力ボタン群２２０のうち、メニューボタン「Ｍ」を押下する。ここで、携帯電話２の電源は既に投入されているものとする。メニューボタン「Ｍ」が押下されると、携帯電話２のＬＣＤ２５２には、図７（ａ）に示すような処理メニュー画面が表示される。この処理メニュー画面上で、カーソル移動／選択ボタン２６０を用いて所望の項目を選択することによって、各種処理が起動される。ここで、情報端末（ＨＭＤ）の項目を選択したとすると、携帯電話２のＬＣＤ２５２には、図７（ｂ）に示すような画面が現れる。この画面上において、ダイヤルアップで接続するＩＳＰの電話番号、ユーザＩＤ、パスワードを設定し、ＯＫボタンを押下すると、情報端末１と携帯電話２間の通信および携帯電話２とＩＳＰゲートウェイサーバ３２０間の通信が行われ、情報端末１の表示手段１１には、図８に示すようなＷＷＷブラウザ画面が表示される。この時点で、携帯電話２のボタン入力の結果は情報端末１への入力となり、情報端末１の画面に反映される。情報端末１のブラウザ３４０は、パーソナルコンピュータ（ＰＣ）で標準的に用いられるものとほぼ同等の機能を有するものである。
【００４１】
このＷＷＷブラウザ画面は、図８に示すように、ブラウザの操作を行うためのメニュー領域とボタン配置領域を含む領域４１０と、ファイルの場所およびファイル名を示すＵＲＬ（Uniform Resource Locator）を表示／入力する領域４２０と、ＨＴＭＬで記述されたコンテンツを表示する領域４３０とを含む。この画面には、当該画面上での操作位置を示すカーソル４４０が表示される。このカーソル４４０は携帯電話２のカーソル移動／選択ボタン２６０により操作され、また、このカーソル移動／選択ボタン２６０を用いて、所望の動作の起動／選択を実行することができる。このボタン２６０はプッシュボタン付４方向タクトスイッチなどからなり、４方向スイッチを画面の４方向へのカーソル移動に、プッシュボタンを起動／選択にそれぞれ割り当てることで、１つのボタンで容易に構成可能である。従って、カーソル４４０はＷＷＷブラウザ画面上をユーザのボタン操作で移動され、領域４１０ではボタンアイコンやメニューコンテンツ選択操作、領域４２０ではＵＲＬの入力が入力ボタン群２２０から行われ、領域４３０ではアンカータグの選択操作や文字データの入力などが行われる。入力ボタン群２２０には、図７（ａ）に示すように、複数の数字ボタンが含まれているが、これらのボタンにアルファベットやかなを割り当てて文字入力する方法はよく知られている。
【００４２】
以上述べたようにユーザは、携帯電話２の入力ボタン群２２０（ボタン２６０を含む）を用いて情報端末１のブラウザ画面を操作して所望の情報を得ることができる。
【００４３】
ブラウザ画面での操作が終了した時点でユーザが入力ボタン群２２０のメニューボタン「Ｍ」を押下すると、すべての通信処理が完了し、情報端末１の電源が切られる。また、携帯電話２のＬＣＤ２５２には、図７（ａ）に示す処理メニュー画面が再び表示される。この時点で携帯電話の入力ボタン群２２０の押下操作は携帯電話２に反映されるようになるので、入力ボタン群２２０の押下操作により、処理メニュー中の他の処理を選択したり、メニューを終了して通常の通話待ちの状態に復帰することが可能である。
【００４４】
以上述べた動作の詳細について図９ないし図１３を参照しながら説明する。図９は図１の携帯電話２での処理手順を示すフローチャート、図１０は図９のダイヤルアッププロセス（ステップＳ１４００）の詳細手順を示すフローチャート、図１１は図９のボタン入力プロセス（ステップＳ１６００）の詳細手順を示すフローチャート、図１２は図１の情報端末１での処理手順を示すフローチャート、図１３は携帯電話２とＷＷＷサーバ３３０間でのＨＴＴＰによる転送シーケンスを示す図である。
【００４５】
携帯電話２では、ユーザによりメニューボタン「Ｍ」が押下されると、図９に示すように、まずステップＳ１０００において、ＬＣＤ２５２に図７（ａ）に示す処理メニュー画面を表示する。ここで、処理メニュー画面上でユーザによって所望の項目が選択されると、選択された項目に応じた処理が起動される。例えば、「メール」の項目が選択されると、ステップＳ１１１０で、メール処理を実行し、そして、ステップＳ１０００に戻る。「Ｗｅｂ」の項目が選択されると、ステップＳ１１２０で、携帯電話２でのＷｅｂ処理を実行し、そして、ステップＳ１０００に戻る。「その他」の項目が選択されると、ステップＳ１１３０で、その他の処理を実行し、そして、ステップＳ１０００に戻る。「終了」の項目が選択されると、処理を終了し、通常の通話持ち受け状態へ戻る。
【００４６】
上記項目として「情報端末（ＨＭＤ）」が選択されると、ステップＳ１１００で、ダイヤルアップ設定を行う。ここでは、図７（ｂ）に示す画面が表示され、この画面上で所定の項目が入力され、「実行」か「キャンセル」かが選択される。「キャンセル」が選択された場合、再度ダイヤルアップ設定が行われる。「実行」が選択された場合、ステップＳ１２００において、近距離無線接続を行う。ここでは、近距離無線通信可能な端末を探して接続を確立する。情報端末１との接続が確立すると、ステップＳ１３００で、ステップＳ１４００のダイヤルアッププロセスとステップＳ１６００のボタン入力プロセスの２つの子プロセスを生成し、並列に実行する。オペレーティングシステム（ＯＳ）によっては、プロセスではなくスレッドを用いることもあるが、以下の実施形態でプロセスをスレッドに置き換えても処理フローは変更なく全く同様の効果が得られる。
【００４７】
ステップＳ１４００のダイヤルアッププロセスでは、図１０に示すように、まずステップＳ１４１０において、携帯電話網接続処理を行う。この携帯電話網接続処理では、上記ステップＳ１１００で入力されたデータに基づき携帯電話網を介してＩＳＰゲートウェイサーバ３２０への接続を行う。ここで、認証が成立すると、ＩＳＰゲートウェイサーバ３２０とのコネクションが設定される。同時に近距離無線通信で接続されている情報端末１との間でも、ＩＳＰゲートウェイサーバ３２０とのデータ転送のためのコネクションが設定される。
【００４８】
次いで、ステップＳ１４２０において、通信制御処理すなわち上記ステップＳ１４１０で設定されたコネクションを用いたデータ転送の制御を行う。情報端末１とＩＳＰゲートウェイサーバ３２０の間では、図１３に示すように、ＨＴＴＰプロトコルに基づくデータがやり取りされる。これらのデータを下位層すなわち近距離無線通信網および携帯電話網の通信プロトコルに従ったパケット化／フレーム化を行うことによって、通信が行われる。例えば、ＩＳＰゲートウェイサーバ３２０は、データをＰＰＰプロトコルのＰＰＰフレームで送信するので、ブルートゥースの場合は、ＰＰＰフレームのデータをＬ２ＣＡＰなどのパケットデータに構成し直し、情報端末１に送る。情報端末１からのデータに対しては、逆の変換を行ってＩＳＰゲートウェイサーバ３２０に送信する。また、ブルートゥースに代えてIEEEE８０２．１１などの無線ＬＡＮが用いられている場合には、ＰＰＰフレームのデータをＭＡＣフレームのデータへ変換して情報端末１へ送り、情報端末１からのデータに対しては逆の変換を行ってＩＳＰゲートウェイサーバ３２０に送信する。
【００４９】
次いで、ステップＳ１４３０において、ボタン入力プロセス（ステップＳ１６００）からの終了通知を待ち、ボタン入力プロセスの終了通知を受け取るまで上記処理を繰り返し行う。ボタン入力プロセスの終了通知を受け取ると、ステップＳ１４４０に進む。ステップＳ１４４０では、携帯電話網の切断処理を行い、続くステップＳ１４５０で、ダイヤルアッププロセスの終了通知を親プロセスに対し行い、本処理を終了する。そして、ステップＳ１８００に進む。
【００５０】
ステップＳ１８００では、近距離無線通信で設定されている情報端末１と携帯電話２のコネクションを全て終了し、近距離無線通信の切断を行う。そして、上記ステップＳ１０００に戻る。
【００５１】
上記ダイヤルアッププロセスと並行して実行されるボタン入力プロセス（ステップＳ１６００）では、図１１に示すように、まずステップＳ１６１０において、情報端末１との間に、ボタン入力データを送信するためのコネクションを設定し、通信用ポートを定める。そして、ステップＳ１６２０において、携帯電話２の入力ボタン群２２０からの入力を待ち、入力ボタン群２２０からの入力があると、ステップＳ１６３０に進む。ステップＳ１６３０では、押下されたボタンのコードをボタン入力通信用ポートへ書き込んで情報端末１へ送信し、続くステップＳ１６４０で、押下されたボタンがメニューボタン「M」であるか否かを判定する。ここで、押下されたボタンがメニューボタン「M」でないときには、上記ステップＳ１６２０に戻る。押下されたボタンがメニューボタン「M」であるときには、ステップＳ１６５０に進む。
【００５２】
ステップＳ１６５０では、情報端末１とのボタン入力通信のコネクションを終了し、プロセスの終了をダイヤルアッププロセスへ通知してボタン入力プロセスを終了する。
【００５３】
次に、情報端末１の処理について図１２を参照しながら説明する。
【００５４】
情報端末１に電源が投入されると、図１２に示すように、まずステップＳ２０００において、初期化を行う。ここでは、ＲＯＭ１５に格納されているプログラムを読み出し、バックライト１１２を点灯し、ＬＣＤ１１３に図８に示すＷＷＷブラウザ画面を表示する。そして、ステップＳ２１００において、近距離無線通信の接続準備を行い、携帯電話２からの接続要求を待つ。ここで、携帯電話２からの接続要求があると、ステップＳ２２００において、携帯電話２からの接続要求に従って近距離無線の通信路を設定し、ボタン入力データを受け付けるためのボタン入力コネクションとインターネット上のサーバとのデータの交換を行うためのダイヤルアップコネクションを設定する。
【００５５】
次いで、ステップＳ２３００において、上記ステップＳ２２００で設定されたボタン入力コネクションへのデータの到着を待ち、データが到着すると、このデータをイベントとして受け取り、ステップＳ２４００に進む。ステップＳ２４００では、上記ステップＳ２３００で受け取ったイベントを解釈して各種処理に割り振る。ここで、上記イベントがメニューボタン「Ｍ」のイベントの場合はステップＳ２５００へ、ＵＲＬ処理要求の場合はステップＳ２６００へ、その他の処理の場合はステップＳ２７００へ進む。
【００５６】
ステップＳ２５００では、メニューボタンイベント処理を開始し、続くステップＳ２５１０で、携帯電話２との近距離無線のコネクションを全て終了させる。そして、ステップＳ２５２０において、保存が必要なデータをＲＡＭ１４からＲＯＭ１５へ書き込み、電源をオフにして終了する。
【００５７】
ステップＳ２６００では、ＵＲＬデータ要求を開始する。ここで、典型的なＵＲＬ処理要求イベントの例としては、
（１）予めユーザが保存しておいたＵＲＬを図８の表示領域４１０のお気に入りメニューから一覧表示させて選択ボタンを用いた（本実施形態ではボタン２６０のプッシュが押された）場合
（２）コンテンツ表示領域４３０においてリンク先が示されているアンカータグにカーソルが存在している状態で選択ボタンが押された場合
（３）アドレス表示領域４２０においてユーザがＵＲＬを直接入力した後に選択ボタンが押された場合
がある。
【００５８】
これらの場合、ステップＳ２６００以下のＵＲＬデータ処理が行われる。ステップＳ２６１０においては、指定されたＵＲＬ情報の解析の結果に基づき指定されたＵＲＬが自情報端末内に存在するデータに対応するＵＲＬであるか否かを判定する。指定されたＵＲＬが自情報端末内に存在するデータに対応するＵＲＬであると、ステップＳ２６４０において、指定されたＵＲＬに対応する自端末内のＨＴＭＬファイルをＲＯＭ１５から読み出してＲＡＭ１４へ格納し、続くステップＳ２６６０で、ＲＡＭ１４に格納されたＨＴＴＰデータを解析し、画面表示用データへ変換する。そして、ステップＳ２８００で、処理されたデータをＶＲＡＭ１１４へ転送して表示手段１１に表示し、上記ステップＳ２３００に戻る。
【００５９】
上記ステップＳ２６１０で指定されたＵＲＬが自情報端末内に存在するデータに対応するＵＲＬでないと判定されると、ステップＳ２６２０において、ＨＴＴＰデータ交換を行うためのダイヤルアップコネクションを通して、ＵＲＬ情報を図１３に示すようなＨＴＴＰプロトコルとして送信し、ＩＳＰゲートウェイサーバ３２０を介してＷＷＷサーバ３３０と接続する。そして、ステップＳ２６３０で、ＵＲＬで指定されたファイルを取得してＲＡＭ１４へ格納する。次いで、ステップＳ２６６０において、ＲＡＭ１４に格納されたＨＴＴＰデータを解析し、画面表示用データへ変換する。そして、ステップＳ２８００で、処理されたデータをＶＲＡＭ１１４へ転送して表示手段１１に表示し、上記ステップＳ２３００に戻る。
【００６０】
ステップＳ２７００では、その他の処理を開始する。その他の処理としては、例えばカーソル移動／選択ボタン２６０の四方向矢印ボタンによるカーソル移動、画面のスクロールバー領域でのカーソル移動／選択ボタン２６０のプッシュの押下による画面スクロール、入力ボタン群２２０の数字／文字ボタンによる文字入力などの場合の処理などがある。次いで、ステップＳ２７１０において、カーソル移動、文字入力などそれぞれのイベントに対応した処理を行い、続くステップＳ２８００で、処理されたデータをＶＲＡＭ１１４へ転送して表示手段１１に表示し、上記ステップＳ２３００に戻る。
【００６１】
このように、本実施の形態では、携帯性および操作性を損うことなく、大画面を用いてネットワーク上の情報の閲覧を行うことができる。
【００６２】
本実施形態では、情報端末１と携帯電話２間の通信に近距離無線通信を用いているが、これに代えて、例えばIrDAなどの赤外線通信方式を用いてもよい。
【００６３】
（第２の実施形態）
次に、本発明の第２の実施形態について図１４ないし図１６を参照しながら説明する。図１４および図１５は本発明の第２の実施形態に係る携帯型情報端末の処理手順を示すフローチャート、図１６は本発明の第２の実施形態に係る携帯型情報端末と接続される携帯電話の処理手順を示すフローチャートである。本実施形態は、基本的に第１の実施形態の構成と同じ構成を有し、本実施形態の説明においては、第１の実施形態の構成を流用し、異なる構成部分だけを説明する。
【００６４】
第１の実施形態においては、ユーザが携帯電話２から情報端末１との接続を指示したときに、携帯電話２と情報端末１間の近距離無線通信および携帯電話２とＩＳＰゲートウェイサーバ３２０間の携帯電話網が接続され、この接続は全体の操作の終了指示があるまで（メニューボタン「Ｍ」が押されるまで）保持される。これに対し、本実施形態は、携帯電話網との接続コストを下げるために、情報端末１からインターネットへのアクセス指示があったときにのみ携帯電話網に接続するように構成されている。この場合、インターネットオフラインの状態で、携帯電話２のボタン入力により情報端末１で文書作成や表計算を行うなどの作業が可能であり、必要に応じてインターネットへアクセスしてデータを取得する。これにより、より多様な使い方が可能になる。
【００６５】
これらの動作について説明する。まず、情報端末１の処理について図１４および図１５を参照しながら説明する。ここで、図１４および図１５において、図１２（第１の実施形態）と異なるのは、ステップＳ２１１０、ステップＳ２６１５およびステップＳ２６３５である。ステップＳ２１１０では、図１４に示すように、携帯電話２からの接続要求に従って近距離無線の通信路を設定し、ボタン入力データを受け付けるためのコネクションを設定する。そして、ステップＳ２３００に進む。
【００６６】
また、図１５に示すように、ステップＳ２６１０でＵＲＬデータ要求のあったデータが自機内に無いと判定された場合、ステップＳ２６１５に進む点で異なる。このステップＳ２６１５では、情報端末１と携帯電話２間に既に設定されている近距離無線通信路にインターネット上のＷＷＷサーバ３３０とデータのやり取りをするコネクションを設定するための要求を携帯電話２に対して行い、ダイヤルアップコネクションを確立する。このとき、図７（ｂ）に示されるようなメニューを情報端末１に表示し、ダイヤルアップ情報を情報端末１から入力できるようにすることで、ユーザの利便性を確保することができる。次いで、ステップＳ２６２０において、第１の実施形態と同様に、ＵＲＬにより指示されたＷＷＷサーバ３４０に接続し、続くステップＳ２６３０で、ＷＷＷサーバ３４０からデータを取得する。そして、ステップＳ２６３５において、上記ステップＳ２６１５で設定されたダイヤルアップコネクション終了要求を携帯電話２へ送り、コネクションを終了させてステップＳ２６６０に進む。
【００６７】
次に、携帯電話２の処理について図１６を参照しながら説明する。本実施形態の携帯電話２の処理においては、ダイヤルアッププロセスが、第１の実施形態に対し、図９のダイヤルアッププロセス（Ｓ１４００）と異なる。具体的には、本実施形態のダイヤルアッププロセスでは、図１６に示すように、まずステップＳ１４０５において、情報端末１からのダイヤルアップ接続要求を待ち、この接続要求があると、ステップＳ１４１１に進む。ステップＳ１４１１では、情報端末１からダイヤルアップ情報を受け取り、携帯電話網に接続し、続くステップＳ１４１５で、情報端末１から切断要求があるか否かを判定する。ここで、情報端末１から切断要求がないときには、ステップＳ１４３０において、ボタン入力プロセス（ステップＳ１６００）からの終了通知を待ち、ボタン入力プロセスの終了通知を受け取らなければ、ステップＳ１４２０において、第１の実施形態と同様な通信制御処理を行い、上記ステップＳ１４１５に戻る。上記情報端末１から切断要求がない状態では、ボタン入力プロセス（ステップＳ１６００）からの終了通知を受け取るまで上記通信制御処理が繰り返し行われる。
【００６８】
上記ステップＳ１４１５で情報端末１から切断要求があると、ステップＳ１４４０において、携帯電話網の切断処理を行い、上記ステップＳ１４０５に戻る。
【００６９】
上記ステップＳ１４３０でボタン入力プロセスの終了通知を受け取ると、ステップＳ１４４５において、携帯電話網の切断処理を行い、続くステップＳ１４５０で、ダイヤルアッププロセスの終了通知を親プロセスに対し行い、本処理を終了する。そして、ステップＳ１８００に進む。
【００７０】
（第３の実施形態）
次に、本発明の第３の実施形態について説明する。
【００７１】
本実施形態においては、情報端末１に、携帯電話やＰＨＳ（Personal Handyphone System）で用いられている移動体通信網でのデータプロトコルを内蔵し、情報端末１から移動体通信網に直接接続することが可能である。また、情報端末１と携帯電話２間は、上述の第１の実施形態と同様に、近距離無線通信で接続される。
【００７２】
ここで、携帯電話２においてメニューボタン「Ｍ」を押下し、ＬＣＤ２５２に図７（ａ）に示す処理メニュー画面を表示し、この画面からＷｅｂを選択することで、予め搭載されているＷＷＷブラウザを用いることができる。携帯電話２のブラウザで所望のＵＲＬの情報を閲覧すると同時に、現在閲覧中のＵＲＬを逐一情報端末１に送信する。このとき情報端末１においては、自身でインターネットに接続し、携帯電話２から受信したＵＲＬにアクセスし、この情報を取得してＷＷＷブラウザ画面に表示する。すなわち、携帯電話２と情報端末１では、常に同じＵＲＬのコンテンツを表示することができ、情報端末１側では高解像度の表示画面を用いて、一度に多くの内容を表示することができる。これは画像や地図などを表示する場合に特に有効である。特に、ＰＣ用に作られたページを携帯電話２で見た場合、この携帯電話２では、このページを製作者が意図した画面通りに見ることはできないが、本実施形態のように、携帯電話２と情報端末１の両者において同時に同じＵＲＬのコンテンツを見ることができるので、ＰＣ用に作られたコンテンツと携帯電話２用に作られたコンテンツの両方を快適に見ることができる。
【００７３】
このとき、近距離無線通信ではＵＲＬデータ通信のためのコネクションが設定されていればよい。なお、本実施形態においては、情報端末１が移動体通信網に直接接続することが可能な通信手段を内蔵するが、情報端末１が無線LANのインターフェースを内蔵して直接ＩＰ接続してインターネットにアクセス可能なように構成することもできる。
【００７４】
（第４の実施形態）
次に、本発明の第４の実施形態について図１７および図１８を参照しながら説明する。図１７は本発明の第４の実施形態に係る携帯型情報端末の外観図であって、同図（ａ）は斜視図、同図（ｂ）は正面図、同図（ｃ）はユーザの手に保持された状態を示す図、図１８は図１７の携帯型情報端末の光学系の構成を示す図断面図である。
【００７５】
本実施形態の情報端末１００は、図１７（ａ）に示すように、携帯電話（図示せず）と連携してネットワーク上のコンテンツを表示手段（図１８に示す）で閲覧する機能を有し、電源として電池（図示せず）を使用する。この情報端末１００においては、図１７（ａ），（ｂ）に示すように、本体左側面の上部に操作スイッチ１００ａが、その下部に電源スイッチ１００ｂがそれぞれ設けられている。また、情報端末１００は、図１７（ｃ）に示すように、ユーザの右手で握ることが可能な程度の大きさの外形を有し、本図に示すように、操作スイッチ１００ａは情報端末１００を握る右手の人差し指で操作可能な位置に配置されている。操作スイッチ１００ａは、ＬＣＤ１１３に表示されたWWWブラウザ画面（図８に示す）上でのカーソル４４０の移動、項目の選択などの操作を行ためのスイッチであり、操作スイッチ１００ａの操作に伴い入力イベントが発生する。すなわち、本実施形態は、携帯電話の入力ボタン群または操作スイッチ１００ａを用いて各種操作を行うことが可能なように構成されている。さらに、ユーザは情報端末１００を例えば右手で握りながら窓３１に左右のいずれか一方の目を近づけて覗き込むことにより、窓３１を介して表示手段に表示された情報を見ることができる。
【００７６】
ここで、本実施形態における表示手段は、接眼型拡大光学系を介して大画面表示を行う手段である。この表示手段は、図１８に示すように、バックライト１１３、ＬＣＤ１１２および自由曲面プリズム１１１から構成されている。ここで、本実施形態においては、自由曲面プリズム１１１が楔形形状のプリズムからなり、窓３１を介して覗き込むユーザの目にＬＣＤ１１２からの光を導くように構成されている。すなわち、本実施の形態は、第１の実施形態と異なり、外からの光線を透過させるプリズム１１１ｂを省き、ＬＣＤ１１２の表示画面のみを見ることができる自由曲面プリズム１１１を用いている。また、自由曲面プリズム１１１の後方には、電気回路基板１６０（第１の実施形態におけるメイン基板１５１、表示制御基板１５２などに相当する基板）が配置されている。
【００７７】
このように、本実施形態においては、ユーザが情報端末１００を右手で握りながら窓３１に目を近づけて覗き込み、画面を見ていない方の目で携帯電話のボタン操作を確認するという形態で、情報端末１００が使用される。
【００７８】
また、図１８に示す光学系を片目にのみ装着可能なＨＭＤのように構成してもよい（図示せず）。この場合でも、本発明の趣旨が損なわれることはない。
【００７９】
なお、本発明は、前述した各実施形態の機能を実現するソフトウェアのプログラムコードを記録した記憶媒体を、システムあるいは装置に供給し、そのシステムあるいは装置のコンピュータ（ＣＰＵやＭＰＵ）が記憶媒体に格納されたプログラムコードを読み出し実行することによっても達成され得る。この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭなどを用いることができる。
【００８０】
【発明の効果】
以上説明したように、本発明によれば、携帯性および操作性を損うことなく、大画面を用いてネットワーク上の情報の閲覧を行うことができる。
【図面の簡単な説明】
【図１】本発明の第１の実施形態に係る携帯型情報端末がユーザに装着されている状態を示す図である。
【図２】図１の情報端末１の構成を示すブロック図である。
【図３】図２の表示手段１１におけるバックライト１１３、ＬＣＤ１１２および自由曲面プリズム１１１の配置を模式的に示す図である。
【図４】（ａ）は図１の情報端末１を正面側から見た透視図、同図（ｂ）は図１の情報端末１を底面側から見た透視図である。
【図５】図１の携帯電話２の構成を示すブロック図である。
【図６】図１の情報端末１と携帯電話２とを用いてネットワーク上の情報を閲覧する場合に構築される通信ネットワークの構成図である。
【図７】図１の携帯電話２に表示される画面例およびキー配列を示す図である。
【図８】図１の情報端末１に表示されるＷＷＷブラウザ画面の一例を示す図である。
【図９】図１の携帯電話２での処理手順を示すフローチャートである。
【図１０】図９のダイヤルアッププロセス（ステップＳ１４００）の詳細手順を示すフローチャートである。
【図１１】図９のボタン入力プロセス（ステップＳ１６００）の詳細手順を示すフローチャートである。
【図１２】図１の情報端末１での処理手順を示すフローチャートである。
【図１３】携帯電話２とＩＳＰゲートウェイサーバ３２０間でのＨＴＴＰによる転送シーケンスを示す図である。
【図１４】本発明の第２の実施形態に係る携帯型情報端末の処理手順を示すフローチャートである。
【図１５】本発明の第２の実施形態に係る携帯型情報端末の処理手順を示すフローチャートである。
【図１６】本発明の第２の実施形態に係る携帯型情報端末と接続される携帯電話の処理手順を示すフローチャートである。
【図１７】本発明の第４の実施形態に係る携帯型情報端末の外観図であって、同図（ａ）は斜視図、同図（ｂ）は正面図、同図（ｃ）はユーザの手に保持された状態を示す図である。
【図１８】図１７の携帯型情報端末の光学系の構成を示す図断面図である。
【符号の説明】
１，１００  携帯型情報端末
２  携帯電話
１１  表示手段
１２  ＣＰＵ
１３  表示制御回路
１４  ＲＡＭ
１５  ＲＯＭ
１６  近距離無線通信デバイス
１７  近距離無線通信制御回路
１１１  自由曲面プリズム
１１２  ＬＣＤ
１１３  バックライト
２１２  ＣＰＵ
２１３  表示制御回路
２１４  ＲＡＭ
２１５  ＲＯＭ
２１６  近距離無線通信デバイス
２１７  近距離無線通信制御回路
２１８  携帯電話無線通信デバイス
２１９  携帯電話無線通信制御回路
２２０  入力ボタン群
２５２  ＬＣＤ
２６０  カーソル移動／選択ボタン
３２０  ＩＳＰゲートウエイサーバ
３３０  WWWサーバ
３４０  ブラウザ
【図１】
0003894546.tif 000002
【図２】
0003894546.tif 000003
【図３】
0003894546.tif 000004
【図４】
0003894546.tif 000005
【図５】
0003894546.tif 000006
【図６】
0003894546.tif 000007
【図７】
0003894546.tif 000008
【図８】
0003894546.tif 000009
【図９】
0003894546.tif 000010
【図１０】
0003894546.tif 000011
【図１１】
0003894546.tif 000012
【図１２】
0003894546.tif 000013
【図１３】
0003894546.tif 000014
【図１４】
0003894546.tif 000015
【図１５】
0003894546.tif 000016
【図１６】
0003894546.tif 000017
【図１７】
0003894546.tif 000018
【図１８】
0003894546.tif 000019